(57)【要約】【課題】連続状の被記録媒体の設置スペースを低減可能であり、連続状の被記録媒体を装着するユーザーの負担を軽減可能な記録装置を提供する。【解決手段】記録装置１は、被記録媒体（Ｒ１）に記録を行う記録部１２と、該記録部１２の下方に配置され、連続状の被記録媒体（Ｒ１）を支持し、記録部１２に対して相対移動可能である媒体支持部（４０）と、を備え、媒体支持部（４０）が記録部１２の下方から引き出されることにより被記録媒体（Ｒ１）の支持位置（５１ａ）を上方へ移動させる上下機構８０を有する。また、記録装置１は、記録部１２の上方に配置され、連続状の被記録媒体（Ｒ１）を支持し、記録部１２に対して相対移動可能である媒体支持部（７０）を備え、媒体支持部（７０）が記録部１２の上方から引き出されることにより被記録媒体（Ｒ１）の支持位置（２１ａ）を下方へ移動させる上下機構８０を有する。【選択図】図１
2014195900.tif 000002
【特許請求の範囲】
【請求項１】
被記録媒体に記録を行う記録部と、
該記録部の下方に配置され、連続状の前記被記録媒体を支持し、前記記録部に対して相対移動可能である媒体支持部と、を備え、
該媒体支持部は、前記記録部の下方から引き出されることにより前記被記録媒体の支持位置を上方へ移動させる上下機構を有する、記録装置。
【請求項２】
前記記録部の上方に配置され、連続状の第二の被記録媒体を支持する上側媒体支持部を備え、
前記媒体支持部からの被記録媒体と、前記上側媒体支持部からの第二の被記録媒体と、を切り替えて前記記録部で記録可能である、請求項１に記載の記録装置。
【請求項３】
前記上側媒体支持部は、前記記録部の上方から引き出されることにより前記被記録媒体の支持位置を下方へ移動させる第二の上下機構を有する、請求項２に記載の記録装置。
【請求項４】
被記録媒体に記録を行う記録部と、
該記録部の上方に配置され、連続状の前記被記録媒体を支持し、前記記録部に対して相対移動可能である媒体支持部と、を備え、
該媒体支持部は、前記記録部の上方から引き出されることにより前記被記録媒体の支持位置を下方へ移動させる上下機構を有する、記録装置。
【請求項５】
前記記録部の下方に配置され、連続状の第二の被記録媒体を支持する下側媒体支持部を備え、
前記媒体支持部からの被記録媒体と、前記下側媒体支持部からの第二の被記録媒体と、を切り替えて前記記録部で記録可能である、請求項４に記載の記録装置。
【請求項６】
前記媒体支持部は、前記被記録媒体を前記記録部へ送る搬送機構を有する、請求項１〜請求項５のいずれか一項に記載の記録装置。
【発明の詳細な説明】
【技術分野】
【０００１】
本発明は、記録装置に関する。
【背景技術】
【０００２】
大型のインクジェットプリンター等の記録装置には、ロール紙ホルダーに装着したロール紙から繰り出したシート状の被記録媒体に記録部で記録を行うものがある。大型のロール紙の場合、ロール紙の重量は１０ｋｇ以上になることがある。
【０００３】
なお、特許文献１に記載の技術は、電子写真製版機であるが、マスターペーパーの両端を回転可能に支持する一対のアームが設けられ、本体内部に立設された基板に各アームの端部が上下方向に回動するように支持されている。各アームに支持されるマスターペーパーは、露光及び現像を行うときに常時、露光及び現像を行う部位の側方にある。
【先行技術文献】
【特許文献】
【０００４】
【特許文献１】特開昭６４−２８１５０号公報
【発明の概要】
【発明が解決しようとする課題】
【０００５】
しかし、ロール紙が常時、記録部の側方にあると、側方にあるロール紙の設置スペースが必要である。
なお、上述した問題は、インクジェットプリンターに限らず、種々の記録装置に同様に存在する。
【０００６】
以上を鑑み、本発明の目的の一つは、連続状の被記録媒体の設置スペースを低減可能であり、連続状の被記録媒体を装着するユーザーの負担を軽減可能な記録装置を提供することにある。
【課題を解決するための手段】
【０００７】
本発明の態様の一つとして、本発明の記録装置は、被記録媒体に記録を行う記録部と、
該記録部の下方に配置され、連続状の前記被記録媒体を支持し、前記記録部に対して相対移動可能である媒体支持部と、を備え、
該媒体支持部は、前記記録部の下方から引き出されることにより前記被記録媒体の支持位置を上方へ移動させる上下機構を有する、態様を有する。
【０００８】
すなわち、記録部の下方に媒体支持部が設けられているので、連続状の被記録媒体の設置スペースが少なくて済む。ここで、記録部の下方にある媒体支持部に重い被記録媒体を装着しようとするとユーザーの腰等に大きな負担がかかる可能性があるが、媒体支持部が記録部の下方から引き出されることにより被記録媒体の支持位置が上方へ移動するので、ユーザーの負担が減る。従って、上記態様は、連続状の被記録媒体の設置スペースを低減可能であり、連続状の被記録媒体を装着するユーザーの負担を軽減可能な記録装置を提供することができる。
【０００９】
この場合、記録装置は、前記記録部の上方に配置され連続状の第二の被記録媒体を支持する上側媒体支持部を備え、前記媒体支持部からの被記録媒体と、前記上側媒体支持部からの第二の被記録媒体と、を切り替えて前記記録部で記録可能であってもよい。この態様は、記録部の下方及び上方にある被記録媒体が切り替えられて記録されるので、省スペースで大量記録可能な記録装置を提供することができる。
また、上側媒体支持部は、記録部の上方から引き出されることにより第二の被記録媒体の支持位置を下方へ移動させる第二の上下機構を有してもよい。この態様は、使い勝手をさらに向上させる記録装置を提供することができる。
【００１０】
さらに、本発明の記録装置は、被記録媒体に記録を行う記録部と、
該記録部の上方に配置され、連続状の前記被記録媒体を支持し、前記記録部に対して相対移動可能である媒体支持部と、を備え、
該媒体支持部は、前記記録部の上方から引き出されることにより前記被記録媒体の支持位置を下方へ移動させる上下機構を有する、態様を有する。
【００１１】
すなわち、記録部の上方に媒体支持部が設けられているので、連続状の被記録媒体の設置スペースが少なくて済む。ここで、記録部の上方にある媒体支持部に重い被記録媒体を装着しようとするとユーザーの肩等に大きな負担がかかる可能性があるが、媒体支持部が記録部の上方から引き出されることにより被記録媒体の支持位置が下方へ移動するので、ユーザーの負担が減る。従って、上記態様は、連続状の被記録媒体の設置スペースを低減可能であり、連続状の被記録媒体を装着するユーザーの負担を軽減可能な記録装置を提供することができる。
【００１２】
この場合、記録装置は、前記記録部の下方に配置され連続状の第二の被記録媒体を支持する下側媒体支持部を備え、前記媒体支持部からの被記録媒体と、前記下側媒体支持部からの第二の被記録媒体と、を切り替えて前記記録部で記録可能であってもよい。この態様は、記録部の上方及び下方にある被記録媒体が切り替えられて記録されるので、省スペースで大量記録可能な記録装置を提供することができる。
むろん、下側媒体支持部は、記録部の下方から引き出されることにより第二の被記録媒体の支持位置を上へ移動させる第二の上下機構を有してもよい。
【００１３】
ここで、上記記録装置には、インクジェットプリンター、ワイヤドットプリンター、レーザープリンター、ラインプリンター、複写機、ファクシミリ、等が含まれる。
連続状の被記録媒体には、ロール状の被記録媒体、折り畳まれた被記録媒体、等が含まれる。
【００１４】
ところで、前記媒体支持部は、前記被記録媒体を前記記録部へ送る搬送機構を有してもよい。媒体支持部を記録部の下方又は上方に戻すとユーザーの負担の大きい高さになることがあるが、本態様は、媒体支持部で支持される被記録媒体が記録部へ送られるので、媒体支持部から記録部へ被記録媒体を供給する作業を軽減することができる。
【図面の簡単な説明】
【００１５】
【図１】（ａ），（ｂ）は上下機構８０が設けられた給紙ユニット（媒体支持部）の動作を模式的に例示する縦断面図。
【図２】記録装置１の外観を例示する斜視図。
【図３】給紙ユニット４０を収容した状態の記録装置１を例示する縦断面図。
【図４】給紙ユニット４０を引き出した状態の記録装置１を例示する縦断面図。
【図５】てこの原理を利用した上下機構を模式的に例示する図。
【図６】スコット・ラッセルリンク機構を利用した上下機構を模式的に例示する図。
【図７】回動機構８３ｃを用いた上下機構を模式的に例示する図。
【図８】スライド方向を水平方向から傾けた上下機構を模式的に例示する図。
【図９】比較例においてロール紙Ｒ９を装着する様子を模式的に示す図。
【発明を実施するための形態】
【００１６】
以下、本発明の実施形態を説明する。むろん、以下の実施形態は本発明を例示するものに過ぎず、実施形態に示す特徴の全てが発明の解決手段に必須になるとは限らない。
【００１７】
図１（ａ）は、記録部１２の下方にある給紙ユニット（媒体支持部）４０の動作を模式的に説明するための縦断面図である。図１（ｂ）は、記録部１２の上方にある給紙ユニット（媒体支持部）７０の動作を模式的に説明するための縦断面図である。図２は、記録装置１の例として大型のインクジェットプリンターの外観を示す斜視図である。図３，４はスタッカー１９を省略して記録装置１を示す縦断面図であり、図３は給紙ユニット４０が所定の収容位置Ｌ１にある状態を示し、図４は給紙ユニット４０が所定の引出位置Ｌ２にある状態を示している。収容位置Ｌ１は、媒体経路３０，６０に被記録媒体Ｒ３を通す位置であり、記録部１２に被記録媒体Ｒ３を搬送する位置である。
【００１８】
上述した図中、符号Ｄ１は、本体１０に対する給紙ユニット４０のスライド方向を示している。符号Ｄ２は、スライド方向Ｄ１の一方側であり、収容位置Ｌ１から引出位置Ｌ２へ向かう引出方向を示している。符号Ｄ３は、スライド方向Ｄ１の他方側であり、引出位置Ｌ２から収容位置Ｌ１に向かう収容方向を示している。符号Ｄ４はロール紙Ｒ１から繰り出された被記録媒体Ｒ３の搬送方向であり、図示の搬送方向Ｄ４はスライド方向Ｄ１と交わっている。符号Ｄ７は、被記録媒体Ｒ３の幅方向であり、図示の例ではスライド方向Ｄ１及び搬送方向Ｄ４に直交する記録装置幅方向を示している。図１，３，４は、記録装置１を幅方向Ｄ７の外側から側面視した図である。
【００１９】
なお、分かり易く示すため、各図は整合していないことがある。
また、本明細書で説明する位置関係は、発明を説明するための例示に過ぎず、発明を限定するものではない。従って、本体の前面以外の位置、例えば、背面、上、下、といった位置に排出部が配置されることなども、本発明に含まれる。
【００２０】
上述した図に示す記録装置１は、記録部１２を有する本体１０と、この本体１０に対して相対移動可能に設けられた給紙ユニット４０とを備え、装置下部の下側ロール紙と装置上部奥の上側ロール紙とを切り替えて印刷する（記録を行う）ことが可能である。詳しくは後述するが、図１（ａ）に示すような低い位置の給紙ユニット４０を引き出す場合にはロール紙Ｒ１の支持位置（ホルダー５１ａ）が上方へ移動し、図１（ｂ）に示すような高い位置の給紙ユニット４０を引き出す場合にはロール紙Ｒ１の支持位置（ホルダー２１ａ）が下方へ移動する。これにより、ロール紙を装着するユーザーの負担を軽減可能であり、給紙ユニットの収容時に記録装置がコンパクトになる。ロール紙は、シートをロール状に巻いた連続紙である。両ロール紙Ｒ１，Ｒ２は、外側が印刷面とされている。むろん、繰り出し機構５１，２１の位置を変えると、内側が印刷面とされたロール紙も使用可能である。ロール紙には、紙、布、プラスチックシート、皮革、等、種々の材質の巻回被記録媒体を使用することができる。
【００２１】
図３等に示す本体１０は、制御部１１、記録部１２、搬送ローラー対（１５，１６）、排出部１７、カッター１８、スタッカー１９、上側ロール紙用の媒体経路２０及び給紙機構（２１〜２５）、下側ロール紙用の第一媒体経路３０及びコロローラー（従動ローラー）３３，３４、等を備えている。また、本体１０は、キャスター３７付き脚部３６に支持されている。
【００２２】
制御部１１は、ＣＰＵ（Central Processing Unit）、ＲＯＭ（Read Only Memory）、ＲＡＭ（Random Access Memory）等を有し、外部のホスト装置から記録出力の指令を受け取って被記録媒体に印刷する等、記録装置１の各部の動作を制御する。印刷対象の被記録媒体は、ロール紙Ｒ１，Ｒ２の一方から引き出された部分であり、図３に示す例では連続したシート状の被記録媒体Ｒ３である。
記録部１２は、記録ヘッド１３とプラテン１４を有し、媒体経路を通った被記録媒体に印刷する。記録ヘッド１３は、プラテン１４と対向する上側に配置され、インクを被記録媒体に対して吐出して記録可能である。プラテン１４は、被記録媒体を支持し、被記録媒体と記録ヘッド１３との間を所定の距離にする。
【００２３】
搬送ローラー対（１５，１６）は、下側に配置された駆動ローラー１５と、上側に配置された従動ローラー１６とを備える。従動ローラー１６は、駆動ローラー１５から離間可能であり、近接時に駆動ローラー１５とで被記録媒体を挟持する。
排出部１７から送り出される被記録媒体は、カッター１８で切断されて搬送ローラー対（１５，１６）の挟持から解放されると、スタッカー１９にスタックされる。
【００２４】
上側ロール紙用の給紙機構は、上側ロール紙Ｒ２を支持する繰り出し機構２１、給紙ローラー対（２２，２３）、コロローラー（従動ローラー）２４，２５、等を備えている。給紙ローラー対（２２，２３）は、収容方向Ｄ３側に配置された駆動ローラー２２と、引出方向Ｄ２側に配置された従動ローラー２３とを備える。従動ローラー２３は、駆動ローラー２２から離間可能であり、近接時に駆動ローラー２２とで被記録媒体を挟持する。
【００２５】
繰り出し機構２１のロール紙ホルダーに装着した新たなロール紙Ｒ２の給紙時、ユーザーは、まず、給紙ローラー対（２２，２３）の間にロール紙Ｒ２の先端部を入れることになる。その後、繰り出し機構２１がロール紙Ｒ２を繰り出すとともに繰り出された被記録媒体を給紙ローラー対（２２，２３）が挟持して搬送ローラー対（１５，１６）の方へ搬送し、搬送ローラー対（１５，１６）が被記録媒体を挟持する。印刷時には、搬送ローラー対（１５，１６）が被記録媒体をプラテン１４上に搬送し、記録ヘッド１３がインクを吐出して被記録媒体に記録を行う。
下側ロール紙Ｒ１の末端が排出されるときに上側ロール紙Ｒ２を給紙すれば、下側ロール紙Ｒ１から上側ロール紙Ｒ２に切り替えて記録部１２で記録を行うことができる。
【００２６】
記録部１２に搬送される被記録媒体Ｒ３を通すための第一媒体経路３０は、コロローラー３３が設けられた引出方向Ｄ２側の第一の一方側壁部３１と、コロローラー３４が設けられた収容方向Ｄ３側の第一の他方側壁部３２とを有している。
【００２７】
第一ロール紙（連続状の被記録媒体）Ｒ１を支持する給紙ユニット（媒体支持部）４０は、供給口５９に供給された被記録媒体Ｒ３が通る第二媒体経路６０、給紙機構（４２，５１，５３，５４）、上下機構８０、等を備えている。これらの各部は、外部筐体４１に収容されている。給紙ユニット４０は、記録部１２の下方に配置され、収容位置Ｌ１と引出位置Ｌ２との間でスライド可能であり、制御部１１と電気的に接続されている。記録装置１は、給紙ユニット４０が収容位置Ｌ１にあるか否かを検出する位置検出センサー９１を備え、収容位置Ｌ１に給紙ユニット４０があることが検出されないときに自動給紙動作を行わないようにしている。
【００２８】
第一媒体経路３０に搬送される被記録媒体Ｒ３を通すための第二媒体経路６０は、引出方向Ｄ２側の第二の一方側壁部６１と、収容方向Ｄ３側の第二の他方側壁部６２とを有している。第二の一方側壁部６１は、繰り出し機構５１から曲がってきた第二媒体経路６０の内側部分となり、コロローラー（従動ローラー）６３が設けられている。
【００２９】
下側ロール紙用の給紙機構は、搬送機構４４を有する機構部４２、従動ローラー５３、媒体検出センサー５４、ホルダー５１ａ及び台５１ｂを有する繰り出し機構５１、等を備えている。
搬送機構４４は、給紙ローラー対（４６，５３）の一方のローラーを構成する駆動ローラー４６、この駆動ローラー４６を回転駆動するサーボモーター、等で構成される。従動ローラー５３は、給紙ローラー対（４６，５３）の他方のローラーを構成する。従動ローラー５３は、駆動ローラー４６から離間可能であり、近接時に駆動ローラー４６とで被記録媒体Ｒ３を挟持する。媒体検出センサー５４は、媒体経路６０内の被記録媒体Ｒ３の有無を検出する。媒体検出センサー５４で被記録媒体Ｒ３の存在が検出されると、被記録媒体Ｒ３が自動で搬送される。ホルダー５１ａは、ロール紙Ｒ１の両端部の位置にそれぞれ設けられ、ロール紙Ｒ１の両端部を支持する。台５１ｂは、ホルダー５１ａに装着されるロール紙Ｒ１を載置可能である。ホルダー５１ａと台５１ｂとは、互いに固定されている。
【００３０】
図４に示す上下機構８０は、給紙ユニット４０が記録部１２の下方から引き出されることによりロール紙Ｒ１の支持位置（ホルダー５１ａ）を上方へ移動させる。
【００３１】
ところで、上記上下機構８０が無い場合、図９に示す比較例の記録装置９０１のように、記録部の下方から引き出される給紙ユニット９４０は低い位置のままである。ロール紙Ｒ９が重い場合、ロール紙Ｒ９を給紙ユニット９４０に装着しようとすると、ユーザーは、身体を大きく屈める必要があるため、ユーザーの腰等に大きな負担がかかる可能性がある。また、給紙ユニット９４０の引出側のスペース（例えば通路幅）が狭いと、身体を大きく屈める作業を行い難いことがある。
そこで、本記録装置１は、給紙ユニット４０が記録部１２の下方から引き出されるときに上方へ移動するようにし、ロール紙Ｒ１を装着するユーザーの負担を軽減させ、使い勝手を向上させている。
【００３２】
まず、図１（ａ）に示す記録装置１について説明する。この記録装置１の給紙ユニット４０は、記録部１２の下方に配置され、ロール紙Ｒ１を支持し、記録部１２に対してスライド方向Ｄ１へ相対移動可能である。この記録装置１の上下機構８０は、給紙ユニット４０の引出時にロール紙Ｒ１の支持位置（ホルダー５１ａ）を上方へ移動させ、ユーザーの負担を軽減させる。また、上下機構８０は、給紙ユニット４０が記録部１２の下方に収容されることによりロール紙Ｒ１の支持位置（５１ａ）を下方へ移動させる。従って、本記録装置１は、ロール紙の設置スペースを低減可能であり、ロール紙を装着するユーザーの負担を軽減可能である。
【００３３】
なお、ユーザーは、引出位置Ｌ２の給紙ユニット４０に新たなロール紙Ｒ１を装着すると、図４に示すように、供給口５９にロール紙Ｒ１の先端部Ｒ４を入れることになる。その後、ユーザーが給紙ユニット４０を収容方向Ｄ３へ押すと、上下機構８０がロール紙Ｒ１の支持位置（５１ａ）を下方へ移動させる。これにより、給紙ユニット４０は、図３に示すように記録部１２の下方の収容位置Ｌ１に収容される。また、媒体経路６０内の被記録媒体Ｒ３の存在を媒体検出センサー５４が検出すると、繰り出し機構５１がロール紙Ｒ１を繰り出すとともに繰り出された被記録媒体Ｒ３を第二媒体経路６０内の給紙ローラー対（４６，５３）が挟持して第一媒体経路３０の方へ搬送する。そして、第一媒体経路３０を通り過ぎて搬送ローラー対（１５，１６）の間に搬送された被記録媒体Ｒ３を搬送ローラー対（１５，１６）が挟持する。その後、給紙ローラー対（４６，５３）は被記録媒体Ｒ３を挟持から解放してもよい。ここまでが搬送機構４４で被記録媒体Ｒ３を記録部１２へ送る自動給紙動作である。印刷時（記録時）には、搬送ローラー対（１５，１６）が被記録媒体Ｒ３をプラテン１４上に搬送し、記録ヘッド１３がインクを吐出して被記録媒体Ｒ３に記録を行う。一連の動作は、制御部１１が制御する。
上側ロール紙Ｒ２の末端が排出されるときに下側ロール紙Ｒ１を給紙すれば、上側ロール紙Ｒ２から下側ロール紙Ｒ１に切り替えて記録部１２で記録を行うことができる。
【００３４】
ここで、上記自動給紙機構が無ければ、ユーザーの負担の大きい低い位置から記録部まで給紙する手作業が必要になる。本記録装置１は、給紙ユニット収容時にロール紙から繰り出された被記録媒体が記録部へ送られるので、給紙ユニットから記録部へ被記録媒体を供給する作業が軽減される。
【００３５】
図１（ａ）に示す記録装置１は、さらに、第二ロール紙（第二の被記録媒体）Ｒ２のためのホルダー２１ａを有する繰り出し機構２１を備えている。この繰り出し機構２１は、記録部１２の上方に配置された上側媒体支持部７０Ａであり、連続状の第二の被記録媒体（第二ロール紙Ｒ２）を支持する。記録装置１は、給紙ユニット４０からの被記録媒体（第一ロール紙Ｒ１）と、上側媒体支持部７０Ａからの第二の被記録媒体（第二ロール紙Ｒ２）と、を切り替えて記録部１２で記録可能である。記録部１２の上下両方に連続状の被記録媒体があるので、本記録装置１は、省スペースで大量記録可能である。
【００３６】
上述した思想は、記録部の上方に給紙ユニットが配置される場合にも適用可能である。図１（ｂ）に示す記録装置１の給紙ユニット７０は、記録部１２の上方に配置され、ロール紙Ｒ１を支持し、記録部１２に対してスライド方向Ｄ１へ相対移動可能である。この記録装置１の上下機構８０は、給紙ユニット７０の引出時にロール紙Ｒ１の支持位置（ホルダー２１ａ）を下方へ移動させ、ユーザーの負担を軽減させる。給紙ユニット７０の繰り出し機構２１は、互いに固定されたホルダー２１ａ及び台２１ｂを有している。ホルダー２１ａは、ロール紙Ｒ１の両端部の位置にそれぞれ設けられ、ロール紙Ｒ１の両端部を支持する。台２１ｂは、ホルダー２１ａに装着されるロール紙Ｒ１を載置可能である。
また、上下機構８０は、給紙ユニット７０が記録部１２の上方に収容されることによりロール紙Ｒ１の支持位置（２１ａ）を上方へ移動させる。従って、本記録装置１は、ロール紙の設置スペースを低減可能であり、ロール紙を装着するユーザーの負担を軽減可能である。
【００３７】
図１（ｂ）に示す記録装置１は、さらに、第二ロール紙（第二の被記録媒体）Ｒ２のためのホルダー５１ａを有する繰り出し機構５１を備えている。この繰り出し機構５１は、記録部１２の下方に配置された下側媒体支持部４０Ａであり、連続状の第二の被記録媒体（第二ロール紙Ｒ２）を支持する。記録装置１は、給紙ユニット７０からの被記録媒体（第一ロール紙Ｒ１）と、下側媒体支持部４０Ａからの第二の被記録媒体（第二ロール紙Ｒ２）と、を切り替えて記録部１２で記録可能である。記録部１２の上下両方に連続状の被記録媒体があるので、本記録装置１は、省スペースで大量記録可能である。
【００３８】
上記下側媒体支持部４０Ａは、記録部１２の下方から引き出されることにより第二ロール紙Ｒ２の支持位置（ホルダー５１ａ）を上へ移動させる第二の上下機構を有してもよい。むろん、図１（ａ）に示す上側媒体支持部７０Ａについても、記録部１２の上方から引き出されることにより第二ロール紙Ｒ２の支持位置（ホルダー２１ａ）を下方へ移動させる第二の上下機構を有してもよい。
【００３９】
次に、上下機構８０の具体例を説明する。
図５は、てこの原理を利用した上下機構８０を模式的に例示する縦断面図である。分かり易く示すため、外部筐体４１を透視している。図５に示す上下機構８０は、記録部１２に対して相対位置を変えない部位に設けられた溝部８１ａ及び凸部８１ｂと、てこ部材８１ｃと、を備えている。溝部８１ａは、長手方向をスライド方向Ｄ１に向けて例えば脚部３６における幅方向Ｄ７（図２参照）の内側の面に取り付けられる部材で形成される。凸部８１ｂは、溝部８１ａの上方において例えば脚部３６における幅方向Ｄ７の内側の面から幅方向Ｄ７の内側へ突出するように形成される。てこ部材８１ｃは、スライド方向部８１ｄ、交差部８１ｅ、スライダー８１ｆ、軸支部８１ｇ、を備え、外部筐体４１に収容されている。スライド方向部８１ｄは、給紙ユニット４０が収容位置Ｌ１にあるときに長手方向をスライド方向Ｄ１に向けて配置される。交差部８１ｅは、長手方向をスライド方向部８１ｄの長手方向と略直交（交差）する方向に向けている。スライド方向部８１ｄと交差部８１ｅとは、互いに固定されている。スライダー８１ｆは、スライド方向部８１ｄと交差部８１ｅとの接続部に固定され、外部筐体４１に形成された貫通孔を貫通して溝部８１ａに挿入されて、溝部８１ａに沿ってスライド移動可能とされている。従って、スライダー８１ｆは外部筐体４１に対して幅方向Ｄ７を中心軸として回転可能に支持されており、てこ部材８１ｃは外部筐体４１に対してスライダー８１ｆを中心軸として回転可能に設けられている。軸支部８１ｇは、スライド方向部８１ｄの引出方向Ｄ２側の端部に設けられ、台５１ｂに対して幅方向Ｄ７を回転軸として回転可能に取り付けられている。
【００４０】
収容位置Ｌ１にある給紙ユニット４０を引出方向Ｄ２に引き出していくと、交差部８１ｅが凸部８１ｂに接触する位置Ｌ３までホルダー５１ａ及び台５１ｂは上昇しない。従って、繰り出し機構５１と本体１０とが干渉しない。図５の中段に示すように交差部８１ｅが凸部８１ｂに接触した後は、スライダー８１ｆが引出方向Ｄ２へスライド移動する一方で凸部８１ｂが交差部８１ｅに接触したままであるので、てこの原理によりてこ部材８１ｃが図５の右回りに回動する。これにより、図５の下段に示すように、給紙ユニット４０が引き出されることに連動してホルダー５１ａ及び台５１ｂが上昇する。従って、ホルダー５１ａにロール紙Ｒ１を装着するユーザーの負担が軽減される。
【００４１】
ロール紙Ｒ１を装着した後、引出位置Ｌ２にある給紙ユニット４０を収容方向Ｄ３に押していくと、交差部８１ｅが凸部８１ｂに接触している間は台５１ｂ等の重量によりてこ部材８１ｃが給紙ユニット４０のスライド移動に連動して図５の左回りに回動する。これにより、ホルダー５１ａ及び台５１ｂが下降する。交差部８１ｅが凸部８１ｂから離れた後は、ホルダー５１ａ及び台５１ｂは下降せず、収容位置Ｌ１で給紙ユニット４０が収容される。従って、ロール紙Ｒ１の設置スペースが少なくて済む。
【００４２】
図６は、スコット・ラッセルリンク機構を利用した上下機構８０を模式的に例示している。分かり易く示すため、外部筐体４１を透視している。図６に示す上下機構８０は、記録部１２に対して相対位置を変えない部位に設けられた溝部８２ａと、リンク部材８２ｃと、を備えている。溝部８２ａは、長手方向をスライド方向Ｄ１に向けて例えば脚部３６における幅方向Ｄ７（図２参照）の内側の面に取り付けられる部材で形成される。リンク部材８２ｃは、棒部材８２ｄ，８２ｅ、スライダー８２ｆ，８２ｉ、軸支部８２ｇ、接続部８２ｈ、を備え、外部筐体４１に収容されている。比較的長い棒部材８２ｄ、及び、該棒部材８２ｅよりも短い棒部材８２ｅは、給紙ユニット４０が収容位置Ｌ１にあるときに長手方向をスライド方向Ｄ１に比較的近い方向に向けて配置される。棒部材８２ｅの収容方向Ｄ３側の端部にある接続部８２ｈは、棒部材８２ｄの略中間位置に対して幅方向Ｄ７を中心軸として回転可能に接続されている。スライダー８２ｆは、長い棒部材８２ｄの収容方向Ｄ３側の端部に固定され、外部筐体４１に形成された貫通孔を貫通して溝部８２ａに挿入されて、溝部８２ａに沿ってスライド移動可能とされている。従って、スライダー８２ｆは外部筐体４１に対して幅方向Ｄ７を中心軸として回転可能に支持されている。軸支部８２ｇは、長い棒部材８２ｄの引出方向Ｄ２側の端部に設けられ、台５１ｂに対して幅方向Ｄ７を回転軸として回転可能に取り付けられている。スライダー８２ｉは、短い棒部材８２ｅの引出方向Ｄ２側の端部に固定され、外部筐体４１に形成された長孔を貫通して溝部８２ａに挿入されて、溝部８２ａに沿ってスライド移動可能とされている。外部筐体４１の長孔は、長手方向をスライド方向Ｄ１に向けて形成され、給紙ユニット４０が引出時にスライダー８２ｉが溝部８２ａの引出側端部８２ｂに突き当たる位置Ｌ３と引出位置Ｌ１との間にあるときにスライダー８２ｉを外部筐体４１に対してスライド方向Ｄ１に相対移動させる。
【００４３】
収容位置Ｌ１にある給紙ユニット４０を引出方向Ｄ２に引き出していくと、スライダー８２ｉが溝部８２ａの引出側端部８２ｂに突き当たる位置Ｌ３までホルダー５１ａ及び台５１ｂは上昇しない。従って、繰り出し機構５１と本体１０とが干渉しない。図６の中段に示すようにスライダー８２ｉが引出側端部８２ｂに突き当たった後は、スコット・ラッセルリンク機構により、図６の下段に示すように、給紙ユニット４０が引き出されることに連動してホルダー５１ａ及び台５１ｂが上昇する。従って、ホルダー５１ａにロール紙Ｒ１を装着するユーザーの負担が軽減される。
【００４４】
ロール紙Ｒ１を装着した後、引出位置Ｌ２にある給紙ユニット４０を収容方向Ｄ３に押していくと、しばらくは台５１ｂ等の重量によりスライダー８２ｉが引出側端部８２ｂに突き当たった状態でホルダー５１ａ及び台５１ｂが給紙ユニット４０のスライド移動に連動して下降する。スライダー８２ｉが引出側端部８２ｂから離れた後は、ホルダー５１ａ及び台５１ｂは下降せず、収容位置Ｌ１で給紙ユニット４０が収容される。従って、ロール紙Ｒ１の設置スペースが少なくて済む。
なお、リンク機構は、スコット・ラッセルリンク機構以外のリンク機構でもよい。
【００４５】
図７は、台５１ｂの回動機構８３ｃを用いた上下機構８０を模式的に例示している。分かり易く示すため、外部筐体４１を透視している。図７に示す上下機構８０は、回転軸８３ｄを有する回動機構８３ｃを備えている。回動機構８３ｃは、外部筐体４１に収容されている。台５１ｂは、給紙ユニット４０が収容位置Ｌ１にあるとき、略鉛直向きに配置され、上縁部に回転軸８３ｄが設けられている。この回転軸８３ｄは、長手方向を幅方向Ｄ７（図参照）に向けて外部筐体４１に対して回転可能に支持されている。回動機構８３ｃは、台５１ｂを図７の上段に示すような略鉛直向きに保持する略鉛直保持機構、及び、台５１ｂを図７の下段に示すような略水平方向に保持する略水平保持機構も備えている。
【００４６】
収容位置Ｌ１にある給紙ユニット４０を引出位置Ｌ２まで引出方向Ｄ２へ引き出すとき、ホルダー５１ａ及び台５１ｂは上昇しない。従って、繰り出し機構５１と本体１０とが干渉しない。図７の中段に示すように給紙ユニット４０が引出位置Ｌ２まで引き出された後は、回動機構８３ｃにより回転軸８３ｄを中心としてホルダー５１ａ及び台５１ｂを図７の右回りに回動させ図７の下段に示すようにホルダー５１ａ及び台５１ｂを上昇させて保持することができる。回動機構８３ｃは、台５１ｂを手で回動させるものでもよいが、給紙ユニット４０が引出位置Ｌ２まで引き出されたことを位置検出センサーで検出したときに自動で台５１ｂを回動させるものでもよい。いずれの回動機構も、給紙ユニット４０が記録部１２の下方から引き出されることにより被記録媒体の支持位置（ホルダー５１ａ）を上方へ移動させる上下機構に含まれる。本変形例も、ホルダー５１ａにロール紙Ｒ１を装着するユーザーの負担が軽減される。
【００４７】
ロール紙Ｒ１を装着した後、回動機構８３ｃにより回転軸８３ｄを中心としてホルダー５１ａ及び台５１ｂを図７の左回りに回動させ図７の中段に示すようにホルダー５１ａ及び台５１ｂを下降させて保持することができる。その後、引出位置Ｌ２にある給紙ユニット４０を収容方向Ｄ３に押すと、収容位置Ｌ１で給紙ユニット４０が収容される。従って、ロール紙Ｒ１の設置スペースが少なくて済む。
【００４８】
図８は、給紙ユニット４０のスライド方向Ｄ１を水平方向から傾けた上下機構８０を模式的に例示している。分かり易く示すため、外部筐体４１を透視している。
収容位置Ｌ１にある給紙ユニット４０を引出方向Ｄ２に引き出していくと、給紙ユニット４０が上昇する結果、ホルダー５１ａ及び台５１ｂが上昇する。すなわち、上下機構８０は、給紙ユニット４０が記録部１２の下方から引き出されることにより被記録媒体の支持位置（ホルダー５１ａ）を上方へ移動させている。従って、本変形例も、ホルダー５１ａにロール紙Ｒ１を装着するユーザーの負担が軽減される。
【００４９】
ロール紙Ｒ１を装着した後、引出位置Ｌ２にある給紙ユニット４０を収容方向Ｄ３に押していくと、給紙ユニット４０が下降する結果、ホルダー５１ａ及び台５１ｂが下降する。収容位置Ｌ１で給紙ユニット４０が収容されるので、ロール紙Ｒ１の設置スペースが少なくて済む。
【００５０】
なお、上述した各種変形例は記録部の下方に給紙ユニットがあったが、記録部の上方に給紙ユニットがある場合も同様の上下機構を設けることができる。
【００５１】
さらに、本発明は、種々の変形例が考えられる。
例えば、本発明を適用可能な被記録媒体は、ロール紙以外にも、折り畳んだ連続紙等でもよい。
上述したローラー対を構成する駆動ローラー及び従動ローラーは、上述した位置関係の逆の配置でもよい。また、従動ローラーの代わりに駆動ローラーを用いてローラー対を一対の駆動ローラーで構成してもよい。
記録装置は、複数の被記録媒体を切り替えて記録を行う装置以外にも、一つの被記録媒体に記録を行う装置でもよい。むろん、３以上の引き出し可能な媒体支持部を備える記録装置の各媒体支持部に上下機構を設けてもよい。従って、上下機構を有する引き出し可能な媒体支持部が記録部の下方に複数設けられてもよいし、上下機構を有する引き出し可能な媒体支持部が記録部の上方に複数設けられてもよい。
記録部が移動しないで媒体支持部が収容位置と引出位置との間で移動する以外にも、媒体支持部が移動しないで記録部が収容位置と引出位置との間で移動してもよいし、媒体支持部と記録部がともに収容位置と引出位置との間で移動してもよい。
【００５２】
以上説明したように、本発明によると、種々の態様により、連続状の被記録媒体の設置スペースを低減可能であり、連続状の被記録媒体を装着するユーザーの負担を軽減可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００５３】
１…記録装置、１０…本体、１２…記録部、２０…上側ロール紙の媒体経路、２１…繰り出し機構、２１ａ…ホルダー、２１ｂ…台、３０…本体内の媒体経路、３６…脚部、４０…給紙ユニット（媒体支持部）、４０Ａ…下側媒体支持部、４１…外部筐体、４２…機構部、４４…搬送機構、５１…繰り出し機構、５１ａ…ホルダー、５１ｂ…台、６０…ユニット内の媒体経路、７０…給紙ユニット（媒体支持部）、７０Ａ…上側媒体支持部、８０…上下機構、Ｄ１…スライド方向、Ｄ２…引出方向（スライド方向一方側）、Ｄ３…収容方向（スライド方向他方側）、Ｄ４…搬送方向、Ｄ７…幅方向、Ｌ１…収容位置、Ｌ２…引出位置、Ｒ１…ロール紙（被記録媒体）、Ｒ２…ロール紙（第二の被記録媒体）、Ｒ３…繰り出された被記録媒体、Ｒ４…先端部。
【図１】
2014195900.tif 000003
【図２】
2014195900.tif 000004
【図３】
2014195900.tif 000005
【図４】
2014195900.tif 000006
【図５】
2014195900.tif 000007
【図６】
2014195900.tif 000008
【図７】
2014195900.tif 000009
【図８】
2014195900.tif 000010
【図９】
2014195900.tif 000011